(57)【要約】  本発明は、使用者に薬剤を送達するように構成された注射デバイス用のフィードバック機構（２０）に関する。フィードバック機構（２０）は、遅延要素（３０）に力を加えるように配置された付勢部材を有し、遅延要素（３０）は、力を受けて変形および／または破断するように構成される。フィードバック機構（２０）はまた、遅延要素（３０）が変形および／または破断した後に使用者フィードバックを生成するように配置されたインジケータ（２４）を含む。遅延要素（３０）は、付勢部材によって力が加えられた後のある時点で変形および／または破断し、使用者フィードバックが生成される前に遅延を生み出すように構成される。
2020501631.tif 000002
【特許請求の範囲】
【請求項１】
使用者に薬剤を送達するように構成された注射デバイス用のフィードバック機構であって：
遅延要素に力を加えるように配置された付勢部材、ならびに前記力を受けて変形および／または破断するように構成された該遅延要素と；
該遅延要素が変形および／または破断した後に使用者フィードバックを生成するように配置されたインジケータとを含み；
ここで、遅延要素は、付勢部材によって力が加えられた後のある時点で変形および／または破断し、使用者フィードバックが生成される前に遅延を生み出すように構成される、前記フィードバック機構。
【請求項２】
遅延要素は、付勢部材の力によって変形および／または破断するように構成された細いセクションを有する部材を含む、請求項１に記載のフィードバック機構。
【請求項３】
遅延要素は、付勢部材の力によって変形および／または破断するように構成された弾性変形可能な部材を含む、請求項１または２に記載のフィードバック機構。
【請求項４】
遅延要素は、付勢部材の力によって変形および／または破断するように構成された塑性変形可能な部材を含む、請求項１または２に記載のフィードバック機構。
【請求項５】
遅延要素は、付勢部材の力によって変形および／または破断するように構成された可撓性テザーを含む、請求項１〜４のいずれか１項に記載のフィードバック機構。
【請求項６】
フィードバック機構は、可動部材を含み、遅延要素は、可動部材および固定具に取り付けられ、付勢部材は、遅延要素に力が加えられるように、可動部材を前記固定具に対して付勢する、請求項１〜５のいずれか１項に記載のフィードバック機構。
【請求項７】
インジケータは、遅延要素が変形および／または破断して可動部材が動いた後に前記使用者に対するフィードバックを生成する可動部材を含む、請求項６に記載のフィードバック機構。
【請求項８】
可動部材は、ピボットに旋回式に取り付けられたアームを含み、付勢部材は、アームを付勢してピボットの周りで回転させるように配置される、請求項６または７に記載のフィードバック機構。
【請求項９】
可動部材は、板を含み、付勢部材は、該板に作用するように配置される、請求項６または７に記載のフィードバック機構。
【請求項１０】
インジケータは、遅延要素が変形および／または破断した後に可動部材に衝突されて音を生成するように配置された音発生器を含む、請求項６〜９のいずれか１項に記載のフィードバック機構。
【請求項１１】
インジケータは、プリストレス要素を含み、該プリストレス要素は、可動部材が動かされるまで、可動部材がプリストレス要素を偏向状態で保持するように配置され、可動部材が動かされた時点で、プリストレス要素は非偏向状態へ動き、使用者フィードバックを生成する、請求項６〜１０のいずれか１項に記載のフィードバック機構。
【請求項１２】
遅延要素が変形または破断しないように、可動部材を保持するように配置された保持機構をさらに含み、該保持機構は、遅延要素が付勢部材の力によって変形および／または破断するように、可動部材を解放するようにさらに配置される、請求項６〜１１のいずれか１項に記載のフィードバック機構。
【請求項１３】
保持機構は、前記注射デバイスが前記使用者への薬剤の送達を完了した後に可動部材を解放するように構成される、請求項１２に記載のフィードバック機構。
【請求項１４】
保持機構は、前記注射デバイスのプランジャを含む、請求項１３に記載のフィードバック機構。
【請求項１５】
薬剤送達機構を含む注射デバイスであって、薬剤送達機構は、リザーバ、および、注射デバイスの使用中に使用者へ送達するために薬剤をリザーバから変位させるように使用中に第１の位置から第２の位置へ動くプランジャと、請求項１〜１４のいずれか１項に記載のフィードバック機構とを有する、前記注射デバイス。
【請求項１６】
フィードバック機構は、遅延要素に取り付けられた可動部材を含み、付勢部材は、遅延要素に力が加えられるように、可動部材に力を加える、請求項１５に記載の注射デバイス。
【請求項１７】
プランジャは、第１の位置で、プランジャが可動部材に係合して可動部材の動きを防止し、第２の位置で、プランジャが可動部材を係合解除するように配置される、請求項１６に記載の注射デバイス。
【請求項１８】
遅延要素は、可動部材および固定具に取り付けられる、請求項１６または１７に記載の注射デバイス。
【請求項１９】
遅延要素は、可動部材およびプランジャに取り付けられる、請求項１６または１７に記載の注射デバイス。
【請求項２０】
可動部材は、板を含み、付勢部材は、該板に作用するように配置される、請求項１６〜１９のいずれか１項に記載の注射デバイス。
【請求項２１】
板に係合するロッキングアームをさらに含み、該ロッキングアームは、第１の位置で、プランジャがロッキングアームの回転を防止し、板がロッキングアームによって保持され、第２の位置で、ロッキングアームが自由に回転して板を解放することができるように旋回式に取り付けられる、請求項２０に記載の注射デバイス。
【請求項２２】
遅延要素は、遅延要素が変形および／または破断するまで、ロッキングアームの回転に抵抗するように配置される、請求項２１に記載の注射デバイス。
【請求項２３】
プランジャの第２の位置は、注射デバイスが前記使用者への薬剤の送達を完了した後のプランジャの位置に対応する、請求項１５〜２２のいずれか１項に記載の注射デバイス。
【請求項２４】
シリンジは、薬剤を収容する、請求項１５〜２３のいずれか１項に記載の注射デバイス。
【請求項２５】
注射デバイスを使用する方法であって：
使用者に薬剤を送達することと；
遅延要素に力を加えて該遅延要素を変形および／または破断させることと；
遅延要素が変形および／または破断した後に使用者フィードバックを生成することとを含み；
ここで、力が加えられた後のある時点で遅延要素が変形および／または破断するように、遅延が提供される、前記方法。
【発明の詳細な説明】
【技術分野】
【０００１】
本発明は、注射デバイス用のフィードバック機構に関する。
【背景技術】
【０００２】
自動注射器などの注射デバイスは、典型的にはシリンジを有しており、シリンジにプランジャを押し込んで、針を介してシリンジから患者へ薬剤を投薬する。この注射プロセスは、プランジャがシリンジ内へ適当な距離だけ押し込まれると完了する。適当な体積の薬剤が注射されたことを使用者に示すフィードバック機構を提供することが知られている。
【発明の概要】
【発明が解決しようとする課題】
【０００３】
本発明の目的は、遅延使用者フィードバックを提供する注射デバイス用のフィードバック機構を提供することである。
【課題を解決するための手段】
【０００４】
本発明の第１の態様によれば、使用者に薬剤を送達するように構成された注射デバイス用のフィードバック機構であって：
遅延要素に力を加えるように配置された付勢部材、ならびに前記力を受けて変形および／または破断するように構成された遅延要素と；
遅延要素が変形および／または破断した後に使用者フィードバックを生成するように配置されたインジケータとを含み；
ここで、遅延要素は、付勢部材によって力が加えられた後のある時点で変形および／または破断し、使用者フィードバックが生成される前に遅延を生み出すように構成される、フィードバック機構が提供される。
【０００５】
遅延要素は、付勢部材の力によって変形および／または破断するように構成された細いセクションを有する部材を含むことができる。
【０００６】
遅延要素は、付勢部材の力によって変形および／または破断するように構成された弾性変形可能な部材を含むことができる。
【０００７】
別法として、遅延要素は、付勢部材の力によって変形および／または破断するように構成された塑性変形可能な部材を含むことができる。
【０００８】
遅延要素は、付勢部材の力によって変形および／または破断するように構成された可撓性テザーを含むことができる。
【０００９】
フィードバック機構はまた、可動部材を含むことができ、遅延要素は、可動部材および固定具に取り付けることができる。付勢部材は、遅延要素に力が加えられるように、可動部材を前記固定具に対して付勢することができる。
【００１０】
インジケータは、遅延要素が変形および／または破断して可動部材が動いた後に前記使用者に対するフィードバックを生成する可動部材を含むことができる。
【００１１】
可動部材は、ピボットに旋回式に取り付けられたアームを含むことができ、付勢部材は、アームを付勢してピボットの周りで回転させるように配置することができる。
【００１２】
可動部材は、板を含むことができ、付勢部材は、板に作用するように配置することができる。
【００１３】
インジケータは、遅延要素が変形および／または破断した後に可動部材に衝突されて音を生成するように配置された音発生器を含むことができる。
【００１４】
インジケータは、プリストレス要素を含むことができ、プリストレス要素は、可動部材が動かされるまで、可動部材がプリストレス要素を偏向状態で保持するように配置され、可動部材が動かされた時点で、プリストレス要素は非偏向状態へ動き、使用者フィードバックを生成する。
【００１５】
フィードバック機構は、遅延要素が変形または破断しないように、可動部材を保持するように配置された保持機構をさらに含むことができ、保持機構は、遅延要素が付勢部材の力によって変形および／または破断するように、可動部材を解放するようにさらに配置することができる。
【００１６】
保持機構は、前記注射デバイスが前記使用者への薬剤の送達を完了した後に可動部材を解放するように構成することができる。
【００１７】
保持機構は、前記注射デバイスのプランジャを含むことができる。
【００１８】
本発明の別の態様によれば、薬剤送達機構を含む注射デバイスであって、薬剤送達機構は、リザーバ、および、注射デバイスの使用中に使用者へ送達するために薬剤をリザーバから変位させるように動くプランジャと、上述したフィードバック機構とを有する、注射デバイスも提供される。使用中、プランジャは、第１の位置から第２の位置へ動くことができる。第１の位置は、プランジャの開始位置に対応することができる。第２の位置は、注射デバイスが前記使用者への薬剤の送達を完了した後のプランジャの位置に対応することができる。
【００１９】
一例では、フィードバック機構は、遅延要素に取り付けられた可動部材を含むことができ、付勢部材は、遅延要素に力が加えられるように、可動部材に力を加えることができる。
【００２０】
プランジャは、第１の位置で、プランジャが可動部材に係合して可動部材の動きを防止し、第２の位置で、プランジャが可動部材を係合解除するように配置することができる。
【００２１】
一例では、遅延要素は、可動部材および固定具に取り付けることができる。別法として、遅延要素は、可動部材およびプランジャに取り付けることができる。
【００２２】
可動部材は、板を含むことができ、付勢部材は、板に作用するように配置することができる。
【００２３】
注射デバイスは、板に係合するロッキングアームをさらに含むことができ、ロッキングアームは、第１の位置で、プランジャがロッキングアームの回転を防止し、板がロッキングアームによって保持され、第２の位置で、ロッキングアームが自由に回転して板を解放することができるように旋回式に取り付けられる。
【００２４】
遅延要素は、遅延要素が変形および／または破断するまで、ロッキングアームの回転に抵抗するように配置することができる。
【００２５】
シリンジは、場合により、薬剤を収容することができる。
【００２６】
一例では、薬剤送達機構およびフィードバック機構を含む注射デバイスが提供される。薬剤送達機構は、リザーバと、使用中に第１の位置から第２の位置へ動き、注射デバイスの使用中に使用者へ送達するための薬剤をリザーバから変位させるプランジャとを含むことができる。フィードバック機構は、可動部材、付勢部材、および遅延要素を含むことができ、付勢部材は、遅延要素に力が加えられるように、可動部材に作用するように配置され、遅延要素は、付勢部材によって力が加えられた後のある時点で変形および／または破断するように構成される。フィードバック機構はまた、遅延要素が変形および／または破断した後に使用者フィードバックを生成するように配置されたインジケータを含むことができる。プランジャは、第１の位置で、プランジャが可動部材の動きを防止し、第２の位置で、前記力が付勢部材によって遅延要素に加えられるようにプランジャが可動部材を解放するように配置することができる。
【００２７】
本発明のさらなる態様によれば、注射デバイスを使用する方法であって：
使用者に薬剤を送達することと；
遅延要素に力を加えて遅延要素を変形および／または破断させることと；
遅延要素が変形および／または破断した後に使用者フィードバックを生成することとを含み；
ここで、力が加えられた後のある時点で遅延要素が変形および／または破断するように、遅延が提供される、方法も提供される。
【００２８】
本発明の上記その他の態様は、後述する実施形態から明らかになり、これらの実施形態を参照することによって解明される。
【００２９】
本発明の実施形態について、例示のみを目的として、添付の図面を参照して次に説明する。
【図面の簡単な説明】
【００３０】
【図１Ａ】本発明を実施する注射デバイスおよび取外し可能なキャップの概略側面図である。
【図１Ｂ】キャップがハウジングから取り外された、図１Ａの注射デバイスの概略側面図である。
【図２Ａ】遅延機構が、旋回式に取り付けられたアームと、遅延要素とを有し、遅延機構は、注射デバイスが使用される前の状態で示されている、注射デバイス用の遅延機構の側断面図である。
【図２Ｂ】注射デバイスが使用された後の状態で示されている、図２Ａの遅延機構の側断面図である。
【図３Ａ】遅延要素の異なる例を示す図である。
【図３Ｂ】遅延要素の異なる例を示す図である。
【図３Ｃ】遅延要素の異なる例を示す図である。
【図４Ａ】遅延機構が、旋回式に取り付けられたアームと、遅延要素とを有し、遅延機構は、注射デバイスが使用される前の状態で示されている、注射デバイス用の遅延機構の側断面図である。
【図４Ｂ】注射デバイスが使用された後の状態で示されている、図４Ａの遅延機構の側断面図である。
【図５Ａ】遅延機構が、キャリアおよび破断可能な遅延要素を有し、遅延機構は、注射デバイスが使用される前の状態で示されている、注射デバイス用の遅延機構の側断面図である。
【図５Ｂ】注射デバイスが使用された後の状態で示されている、図５Ａの遅延機構の側断面図である。
【図６Ａ】遅延機構が、キャリアと、遅延要素である破断可能なテザーとを有し、遅延機構は、注射デバイスが使用される前の状態で示されている、注射デバイス用の遅延機構の側断面図である。
【図６Ｂ】注射デバイスの使用中の状態で示されている、図６Ａの遅延機構の側断面図である。
【図６Ｃ】注射デバイスが使用された後の状態で示されている、図６Ａおよび図６Ｂの遅延機構の側断面図である。
【図７Ａ】遅延機構は、キャリアと、遅延要素が一体化された回転可能なアームとを有し、遅延機構は、注射デバイスが使用される前の状態で示されている、注射デバイス用の遅延機構の側断面図である。
【図７Ｂ】注射デバイスの使用中の状態で示されている、図７Ａの遅延機構の側断面図である。
【図７Ｃ】注射デバイスが使用された後の状態で示されている、図７Ａおよび図７Ｂの遅延機構の側断面図である。
【発明を実施するための形態】
【００３１】
本明細書に記載する薬物送達デバイスは、患者に薬剤を注射するように構成することができる。たとえば、送達は、皮下、筋肉内、または静脈内で行うことができる。そのようなデバイスの使用者は、患者、または看護師もしくは医師などの医療従事者であり、様々なタイプの安全シリンジ、ペン注射器、または自動注射器を含むことができる。デバイスは、封止されたアンプルを使用前に穿孔する必要のあるカートリッジ式のシステムを含むことができる。これらの様々なデバイスによって送達される薬剤の体積は、約０．５ｍｌ〜約２ｍｌの範囲とすることができる。さらに別のデバイスは、「大きい」体積の薬剤（典型的には、約２ｍｌ〜約１０ｍｌ）を送達するために一定期間（たとえば、約５、１５、３０、６０、または１２０分）にわたって患者の皮膚に粘着するように構成された大容量デバイス（「ＬＶＤ」）またはパッチポンプを含むことができる。
【００３２】
特定の薬剤と組み合わせて、本明細書に記載するデバイスはまた、必要な仕様で動作するようにカスタマイズすることができる。たとえば、デバイスは、ある期間（たとえば、自動注射器の場合は最大約２０秒、ＬＶＤの場合は約１０分〜約６０分）内で薬剤を注射するようにカスタマイズすることができる。他の仕様は、低いもしくは最小レベルの不快感、または人的要因、保管寿命、有効期限、生体適合性、環境的考慮などに関係する特定の条件を含むことができる。そのような変動は、たとえば薬物の粘性が約１ｃＰ〜約５０ｃＰの範囲に及ぶことなどの様々な要因により生じることがある。したがって、薬物送達デバイスは、多くの場合、サイズが約２５〜約３１ゲージの中空針を含む。一般的なサイズは、１７、２９、および３１ゲージである。
【００３３】
本明細書に記載する送達デバイスはまた、１つまたはそれ以上の自動機能を含むことができる。たとえば、針の挿入、薬剤の注射、および針の後退のうちの１つまたはそれ以上を自動化することができる。１つまたはそれ以上の自動化工程のためのエネルギーは、１つまたはそれ以上のエネルギー源によって提供することができる。エネルギー源は、たとえば、機械、空気圧、化学、または電気のエネルギーを含むことができる。たとえば、機械エネルギー源は、エネルギーを貯蔵または解放するためのばね、てこ、エラストマー、または他の機械的機構を含むことができる。１つまたはそれ以上のエネルギー源を組み合わせて、単一のデバイスにすることができる。デバイスは、エネルギーをデバイスの１つまたはそれ以上の構成要素の動きに変換するための歯車、バルブ、または他の機構をさらに含むことができる。
【００３４】
自動注射器の１つまたはそれ以上の自動機能はそれぞれ、起動機構を介して起動することができる。そのような起動機構は、アクチュエータ、たとえばボタン、レバー、ニードルスリーブ、または他の起動構成要素のうちの１つまたはそれ以上を含むことができる。自動機能の起動は、１つの工程または複数の工程からなるプロセスとすることができる。すなわち、使用者は、自動機能を引き起こすために、１つまたはそれ以上の起動構成要素を起動する必要がある。たとえば、１つの工程からなるプロセスでは、使用者は、ニードルスリーブを自分の体に押し当てることで、薬剤の注射を行うことができる。他のデバイスは、自動機能を複数の工程によって起動することを必要とすることがある。たとえば、使用者は、注射を行うために、ボタンを押し下げてニードルシールドを後退させることが必要となることがある。
【００３５】
追加として、１つの自動機能の起動により、１つまたはそれ以上の後続の自動機能を起動し、それによって起動シーケンスを形成することができる。たとえば、第１の自動機能の起動により、針の挿入、薬剤の注射、および針の後退のうちの少なくとも２つを起動することができる。いくつかのデバイスはまた、１つまたはそれ以上の自動機能を行うために、特定の工程シーケンスを必要とすることがある。他のデバイスは、独立した工程シーケンスで動作することができる。
【００３６】
いくつかの送達デバイスは、安全シリンジ、ペン注射器、または自動注射器のうちの１つまたはそれ以上の機能を含むことができる。たとえば、送達デバイスは、薬剤を自動的に注射するように構成された機械エネルギー源（典型的には自動注射器に見られる）と、用量設定機構（典型的にはペン注射器に見られる）とを含むことができる。
【００３７】
本開示のいくつかの実施形態によれば、例示的な薬物送達デバイス１０が図１Ａおよび図１Ｂに示されている。デバイス１０は、上述したように、患者の体に薬剤を注射するように構成される。デバイス１０は、典型的には注射予定の薬剤を収容するシリンジ１８を収容するハウジング１１と、送達プロセスの１つまたはそれ以上の工程を容易にするために必要とされる構成要素とを含む。また、ハウジング１１に取外し可能に取り付けることができるキャップ１２が設けられる。典型的には、使用者は、デバイス１０を動作させる前に、ハウジング１１からキャップ１２を取り外さなければならない。
【００３８】
図示のように、ハウジング１１は実質上円筒形であり、長手方向軸Ａ−Ａに沿って実質上一定の直径を有する。ハウジング１１は、遠位領域Ｄおよび近位領域Ｐを有する。「遠位」という用語は、注射部位に比較的近い位置を指し、「近位」という用語は、注射部位から比較的遠い位置を指す。
【００３９】
デバイス１０はまた、ハウジング１１に連結されたニードルスリーブ１９を含むことができ、ハウジング１１に対するスリーブ１９の動きが可能にされるようになっている。たとえば、スリーブ１９は、長手方向軸Ａ−Ａに対して平行な長手方向に動くことができる。具体的には、スリーブ１９が近位方向に動くことで、針１７がハウジング１１の遠位領域Ｄから延びることを可能にすることができる。
【００４０】
針１７の挿入は、いくつかの機構を介して行うことができる。たとえば、針１７は、ハウジング１１に対して固定して配置することができ、最初は延ばされたニードルスリーブ１９内に位置することができる。スリーブ１９の遠位端を患者の体に当て、ハウジング１１を遠位方向に動かすことによって、スリーブ１９が近位に動くことで、針１７の遠位端が露出される。そのような相対的な動きにより、針１７の遠位端が患者の体内へ延びることが可能になる。そのような挿入は、患者がハウジング１１をスリーブ１９に対して手動で動かすことを介して針１７が手動で挿入されるため、「手動」挿入と呼ばれる。
【００４１】
別の形態の挿入は「自動化」されており、それによって針１７がハウジング１１に対して動く。そのような挿入は、スリーブ１９の動きまたはたとえばボタン１３などの別の形態の起動によってトリガすることができる。図１Ａおよび図１Ｂに示すように、ボタン１３は、ハウジング１１の近位端に位置する。しかし、他の実施形態では、ボタン１３がハウジング１１の側面に位置することもできる。
【００４２】
他の手動または自動機能は、薬物の注射もしくは針の後退または両方を含むことができる。注射とは、栓１４をシリンジ１８内の近位位置からシリンジ１８内のより遠位の位置へ動かし、針１７を通って薬剤をシリンジ１８から押し出すプロセスである。いくつかの実施形態では、デバイス１０が起動される前、駆動ばね（図示せず）が圧縮されている。駆動ばねの近位端は、ハウジング１１の近位領域Ｐ内に固定することができ、駆動ばねの遠位端は、栓１４の近位面に圧縮力を加えるように構成することができる。起動後、駆動ばね内に貯蔵されたエネルギーの少なくとも一部を栓１４の近位面に加えることができる。この圧縮力は、栓１４に作用して栓１４を遠位方向に動かすことができる。そのような遠位運動は、シリンジ１８内の液体薬剤を圧縮して針１７から押し出すように作用する。
【００４３】
注射後は、針１７をスリーブ１９またはハウジング１１内に後退させることができる。後退は、使用者が患者の体からデバイス１０を取り外すにつれてスリーブ１９が遠位に動くときに行うことができる。これは、針１７がハウジング１１に対して固定して配置されたままであるために行うことができる。スリーブ１９の遠位端が針１７の遠位端を越え、針１７が覆われた後、スリーブ１９をロックすることができる。そのようなロックは、ハウジング１１に対するスリーブ１９のあらゆる近位運動をロックすることを含むことができる。
【００４４】
別の形態の針の後退は、針１７がハウジング１１に対して動かされた場合に行うことができる。そのような動きは、ハウジング１１内のシリンジ１８がハウジング１１に対して近位方向に動かされた場合に行うことができる。この近位運動は、遠位領域Ｄ内に位置する後退ばね（図示せず）を使用することによって実現することができる。圧縮された後退ばねは、起動されると、シリンジ１８を近位方向に動かすのに十分な力をシリンジ１８に供給することができる。十分な後退後は、ロッキング機構により、針１７とハウジング１１との間のあらゆる相対的な動きをロックすることができる。加えて、必要とされる場合、デバイス１０のボタン１３または他の構成要素をロックすることができる。
【００４５】
図２Ａおよび図２Ｂは、図１Ａおよび図１Ｂを参照して記載したものなどの注射デバイス用のフィードバック機構２０の第１の例を示す。図２Ａおよび図２Ｂは、注射デバイスのプランジャ２１を示し、プランジャ２１は、注射デバイスの使用中に薬剤を投薬するために、図２Ａに示す位置から、図２Ｂに示す位置へ動く。特に、図１Ａおよび図１Ｂを参照して記載したように、プランジャ２１は、プランジャ２１が動くにつれて栓をシリンジ内へ押し込むことができ、これにより、たとえば針を通って、シリンジから薬剤を投薬することができる。
【００４６】
図示のように、プランジャ２１を動かすために、駆動ばね２２が設けられる。駆動ばね２２は予荷重されたものとすることができ、プランジャ２１を解放するための解放機構を設けることができ、したがって駆動ばね２２は、前述したように、プランジャ２１を動かして、薬剤を投薬することができる。注射デバイスのハウジング２３が、図２Ａおよび図２Ｂに部分的に示されている。
【００４７】
図示のように、フィードバック機構２０はアーム２４を含み、アーム２４は、ハウジング２３上の固定具２６に旋回式に取り付けられた第１の端部２５を有する。アーム２４の第１の端部２５は、ピボット２７によって固定具２６に旋回式に取り付けられる。アーム２４の第２の端部２８は、遅延要素３０を介して、ハウジング２３の隣接部材上の固定具２９に取り付けられる。アーム２４を付勢してピボット２７の周りを図２Ａおよび図２Ｂで時計回り方向に回転させる付勢部材（図示せず）が設けられる。付勢部材は、ねじりばねとすることができる。したがって、付勢部材は、アーム２４を付勢してピボット２７の周りで回転させ、図２Ａに示すように、注射デバイスが使用される前、アーム２４はプランジャ２１の側面に当接し、回転が防止される。この位置で、アーム２４および遅延要素３０は安定した位置にある。
【００４８】
しかし、プランジャ２１が薬剤の送達中に動いたとき、プランジャ２１はアーム２４を係合解除し、このとき遅延要素３０のみがピボット２７の周りのアーム２４の回転を防止する。特に、付勢部材の回転力により、遅延要素３０は引張荷重を受け、図２Ｂに示すように、この引張荷重は、遅延要素３０を破断してアーム２４が回転することを可能にするのに十分である。
【００４９】
アーム２４の回転により、使用者フィードバックが提供される。特に、アーム２４は、アーム２４の一部がプランジャ２１の側面および／または駆動ばね２２の一部に接触するように回転することができる。この衝突により、使用者にフィードバックを提供する音または触覚作用を生み出すことができる。他の例では、アーム２４の回転により、スイッチを閉じることができ、またはアーム２４が可視位置へ動いて、使用者フィードバックを提供することができる。この例では、説明したように、アーム２４、ならびにアーム２４が衝突するハウジング２３および／または駆動ばね２２が、使用者フィードバックを生成するインジケータを形成する。
【００５０】
上記で説明したように、引張荷重が遅延要素３０に加えられ、遅延要素３０は破断してアーム２４の回転を可能にする。遅延要素３０は、引張荷重が加えられた後のある時点で破断して、プランジャ２１がアーム２４から係合解除されてから使用者フィードバックが生成されるまでの間に、遅延を生み出すように構成される。
【００５１】
特に、遅延要素３０は、材料クリープ性（ｍａｔｅｒｉａｌ  ｃｒｅｅｐ  ｔｅｎｄｅｎｃｙ）を有するように設計され、したがって遅延要素３０は、破損してアーム２４の回転を可能にするまで、引張荷重によりゆっくりと変形して細長くなる。これにより、負荷が遅延要素３０に加えられてから遅延要素３０が破断して使用者フィードバックが生成されるまでの間に、時間遅延が生み出される。
【００５２】
この例では、アーム２４およびプランジャ２１は、すべてまたはほぼすべての薬剤が注射された後にプランジャ２１がアーム２４から係合解除されるように配置される。このようにして、注射の終了時または終了頃にのみ、引張荷重が遅延要素３０にかかる。遅延要素３０によって提供される使用者フィードバックが生成される前のさらなる遅延により、薬剤が注射部位から分散する時間が提供される。
【００５３】
遅延要素３０は、使用される材料および遅延要素３０の形態に応じて、締付け、溶接、もしくは接着、または別の好適な形態の取付けによって、固定具２９に取り付けることができる。
【００５４】
図３Ａに示すように、遅延要素３０の第１の例は、遅延要素３０の端部３２より断面が小さい細いセクション３１を含む。細いセクション３１は、遅延要素３０のうち使用中に遅延要素３０に加えられる引張荷重によって破断される部分になるように構成される。
【００５５】
遅延要素３０によって提供される遅延の持続時間は、細いセクション３１の断面、加えられる力、および遅延要素３０の材料特性を含むいくつかの要因に依存する。異なる特徴、たとえば送達用量サイズまたは薬剤粘性を有するデバイスおよび薬剤に対して、異なる断面積を有する異なる遅延要素を提供することができる。
【００５６】
図３Ｂは、図３Ａの例の細いセクション３１より断面積が大きい細いセクション３１を有する別の例示的な遅延要素３０を示す。材料および引張荷重が同じ場合、この遅延要素３０は、アーム２４を解放するためにより多くの材料を破断しなければならないため、図３Ａの遅延要素３０より長い遅延を生み出す。
【００５７】
図３Ａおよび図３Ｂの例の場合、強い衝突力を必要とすることなく引張荷重により遅延要素３０が破断するように、粘弾性のクリープ特性を有する材料を選択することが好ましい。
【００５８】
好適な材料の例としては、ポリエチレン（ＰＥ）、ポリプロピレン（ＰＰ）、ポリテトラフルオロエチレン（ＰＴＦＥ）、ポリエチレンテレフタレート（ＰＥＴ）などのポリマーが挙げられる。
【００５９】
他の例では、遅延要素３０は、使用中に加えられる力によって細長くなった後も破損しない変形可能な材料から作ることができる。このようにして、遅延要素３０は、付勢部材の引張荷重を受けると変形し、アーム２４が回転することが可能になり、前述したように使用者フィードバックを生成することができる。この例では、遅延要素３０は、弾性バンドとすることができ、または遅延要素３０は、エラストマー、たとえばイソブチレンイソプレンブチル、アクリロニトリルブタジエン、もしくはシリコーンゴムなどのゴムを含むことができる。遅延要素３０は、弾性または塑性変形可能とすることができる。
【００６０】
図３Ｃは、そのような変形可能な遅延要素３０の一例を示し、遅延要素３０は、ハウジング２３上の固定具２９およびアーム２４の第２の端部２８の周りに巻かれたエラストマー材料のバンド３３の形態である。プランジャ２１が動いて薬剤を投薬した後、使用者フィードバックが生成されるまで、付勢部材によって提供される引張荷重により、変形可能な遅延要素３０が引き伸ばされる。変形可能な遅延要素３０は、アーム２４の回転運動を抑制し、使用者フィードバックが生成される前に遅延を生み出す。
【００６１】
図４Ａおよび図４Ｂは、図２Ａおよび図２Ｂのものに類似している注射デバイス向けの例示的なフィードバック機構２０を示し、フィードバック機構２０は、注射デバイスから薬剤を投薬するように駆動ばね２２によって動かされるプランジャ２１と、ハウジング２３に旋回式に取り付けられたアーム２４とを有している。図４Ａおよび図４Ｂに示すように、アーム２４の第１の端部２５は、ハウジング２３上の固定具２６に旋回式に取り付けられており、付勢部材（図示せず）がアーム２４に回転力を加えて、アーム２４を時計回り方向に付勢する。付勢部材はねじりばねとすることができる。
【００６２】
この例では、ハウジング２３の隣接部材が、固定具３４および棒材３５を有し、遅延要素３０が、アーム２４を固定具３４に取り付け、棒材３５の周りに延びる。特に、遅延要素３０は、棒材３５、固定具３４、およびアーム２４の第２の端部２８を覆うように曲げられまたは巻き付けられている。この例では、遅延要素３０は、図３Ｃに示したものに類似している変形可能な材料、たとえばエラストマー材料のバンド３３である。バンド３３の端部は、固定具３４およびアーム２４の第２の端部２８の周りに巻き付けられ、バンド３３は棒材３５を覆うように巻き付けられる。
【００６３】
図４Ａに示すように、最初の位置で、プランジャ２１は、アーム２４が回転するのを防止し、アーム２４は、音発生器３６を偏向状態で保持する。
【００６４】
音発生器３６はプリストレス要素であり、最初は偏向状態（図４Ａ）で保持されており、次いでアーム２４が音発生器３６を解放すると非偏向状態（図４Ｂ）へ動く。図示のように、ハウジング２３は突起３７を含んでおり、アーム２４は、アーム２４が音発生器３６を解放するまで、音発生器３６を突起３７に押し付けて偏向状態で保持する。音発生器３６を定位置で保持するために、保持部材３８が位置する。この音発生器３６の状態変化により、可聴音、たとえばクリック音が生成され、使用者フィードバックが提供される。この例では、音発生器３６は、使用者フィードバックを生成するインジケータである。
【００６５】
したがって、プランジャ２１が動いて薬剤を投薬した後、アーム２４は解放されて回転し、音発生器３６が解放され、使用者フィードバックを生成する。アーム２４の回転は、アーム２４が音発生器３６を解放するのに十分なほど回転するために引き伸ばさなければならない遅延要素３０によって抑制される。
【００６６】
この例では、遅延要素３０は、上述したように弾性バンド３３とすることができ、または遅延要素３０は、別法として、エラストマー、たとえばイソブチレンイソプレンブチル、アクリロニトリルブタジエン、もしくはシリコーンゴムなどのゴムを含むことができる。
【００６７】
この例では、アーム２４およびプランジャ２１は、すべてまたはほぼすべての薬剤が注射された後にプランジャ２１がアーム２４から係合解除されるように配置される。このようにして、注射の終了時または終了頃にのみ、引張荷重が遅延要素３０にかかる。遅延要素３０によって提供される使用者フィードバックが生成される前のさらなる遅延により、薬剤が注射部位から分散する時間が提供される。
【００６８】
代替の例では、遅延要素３０は、アーム２４の回転によって提供される力を受けて破断するように構成することができる。
【００６９】
代替の例では、音発生器３６は、アーム２４が回転するように付勢する付勢力を提供することができ、したがってアーム２４に作用する追加の付勢部材は必要ない。
【００７０】
図５Ａおよび図５Ｂは、注射デバイス用の遅延要素３０の別の例を示し、注射デバイスは、プランジャ２１と、注射デバイスの使用中にプランジャ２１を動かして薬剤を投薬する駆動ばね２２とを含む。
【００７１】
この例では、プランジャ２１のそれぞれの側で、ピボット４０上にロッキングアーム３９が取り付けられ、したがってプランジャ２１は、プランジャ２１が薬剤を投薬するときにロッキングアーム３９の端部４１を越えるまで、ロッキングアーム３９の回転を防止する。
【００７２】
ロッキングアーム３９の近位端４２は、板４４に係合して保持する反り４３を含む。駆動ばね２２は、板４４とプランジャ２１との間に作用して、これらを離すように付勢し、したがってプランジャ２１が動いて薬剤を投薬する。
【００７３】
しかし、図５Ｂに示すように、駆動ばね２２がロッキングアーム３９の端部４１を越えるまでプランジャ２１を押した後、ロッキングアーム３９は自由に回転することができ、駆動ばね２２の力が板４４を通って内向きの反り４３に作用することで、ロッキングアーム３９が回転して板４４を解放する。ここで駆動ばね２２は、板４４を近位方向に付勢する。
【００７４】
板４４と注射デバイスのハウジング２３との間には、駆動ばね２２とは板４４の反対側に、遅延要素４５が配置される。したがって、板４４がロッキングアーム３９によって解放された後、駆動ばね２２の力が遅延要素４５を圧縮する。
【００７５】
図示のように、遅延要素４５は、駆動ばね２２の圧縮力を受けて変形し、次いで破断するように構成され、遅延要素４５の破断により、可聴音を生成し、使用者フィードバックを提供することができる。この例では、遅延要素４５は、破断したときに使用者フィードバックを生成するインジケータである。
【００７６】
遅延要素４５は、ロッキングアーム３９によって板４４が解放されてもすぐには破断せず、したがって薬剤投薬の終了（プランジャ２１がロッキングアーム３９を解放する）から使用者にフィードバックが提供される（遅延要素４５が破断する）までの間に遅延が生み出される。
【００７７】
遅延要素４５は、ポリエチレン（ＰＥ）、ポリプロピレン（ＰＰ）、ポリテトラフルオロエチレン（ＰＴＦＥ）、ポリエチレンテレフタレート（ＰＥＴ）などのポリマーを含むことができる。別法として、遅延要素４５は、金属、たとえば鋼または銅を含むことができる。
【００７８】
図示のように、遅延要素４５は、１対の対向する傾斜板４６、４７を含み、傾斜板４６、４７は、傾斜板４６、４７が交わる点４８を画成するように配置される。このようにして、圧縮負荷が加えられたとき、遅延要素４５はこの点４８で折り畳まれ、その後点４８の材料が破損して、使用者フィードバックを生成する。
【００７９】
この例の遅延要素４５は、圧縮負荷が遅延要素４５にかけられた後のある時点で破断するように構成され、したがってプランジャ２１がロッキングアーム３９を解放してから使用者フィードバックが生成されるまでの間に遅延が生み出される。遅延は、遅延要素４５の変形中、遅延要素４５が破損するまでとすることができる。
【００８０】
図６Ａ、図６Ｂ、および図６Ｃは、図５Ａおよび図５Ｂのものに類似している注射デバイス用のさらなる例示的なフィードバック機構２０を示す。特に、図６Ａに示すように、注射デバイスはプランジャ２１を含み、プランジャ２１を動かして薬剤を投薬するように、駆動ばね２２が配置される。図５Ａおよび図５Ｂの例と同様に、ロッキングアーム３９および板４９が配置され、板４９は、駆動ばね２２によって押されて、ロッキングアーム３９によって（内向きの反り４３を介して）把持されており、その後プランジャ２１がロッキングアーム３９を越え（図６Ｂ）、次いで回転して板４９を解放する（図６Ｃ）。
【００８１】
この例では、遅延要素５０がプランジャ２１を板４９につないでいる。特に、図示のように、遅延要素５０は、板４９からプランジャ２１へ延びるテザーであり、両方につながれている。テザー５０は可撓性であり、ロープまたは糸に類似している。テザー５０は、板４９内の孔５１を通って延び、他方の側には保持部材５２が設けられ、テザー５０は、プランジャ２１内の孔５３を通って延び、他方の側には保持部材５４が設けられる。
【００８２】
したがって、板４９がロッキングアーム３９によって解放された後、駆動ばね２２の力がすべてテザー５０に加えられる。テザー５０は遅延後に張力を受け、図６Ｃに示すようにテザー５０は破断する。
【００８３】
テザー５０は、引き伸ばされて変形してから破断することができ、または引張荷重を受けて伸長なく破断することができる。テザー５０が破断したとき、板４９は遠位にハウジング２３の内側に押し付けられ、板４９とハウジング２３との間の衝突により、使用者に対する可聴および／または触覚フィードバックが生成される。この例では、板４９、および板４９が衝突するハウジング２３が、使用者フィードバックを生成するインジケータをともに形成する。
【００８４】
この例のテザー５０は、引張荷重がテザー５０にかかった後のある時点で破断するように構成され、したがってプランジャ２１がロッキングアーム３９を解放してから使用者フィードバックが生成されるまでの間に遅延が生み出される。テザー５０は、クリープ性を有する材料から作ることができ、したがって切れて破断する前に、テザー５０の一部が変形して引き伸ばされる。テザー５０は、駆動ばね２２の引張荷重を受けて所定の時間後に切れるように設計されている弱くした領域、たとえば薄くした領域を含むことができる。
【００８５】
テザー５０は、可撓性ポリマーを含むことができ、巻いた繊維から作ることができる。たとえば、テザー５０は、ナイロン、ポリエステル、ポリプロピレン、またはポリエチレンの繊維を含むことができる。
【００８６】
プランジャ２１がロッキングアーム３９を越えてはじめて板４９が解放されるため、注射デバイスの使用中に薬剤が注射された後のある時点で使用者フィードバックが提供される。したがって、この遅延により、使用者フィードバックが生成される前に、薬剤が注射部位から分散する時間を提供することができ、使用者フィードバックが生成された時点で、使用者は注射デバイスを取り外すことを知る。
【００８７】
代替の例では、テザー５０は、板４９がハウジング２３に到達するまで変形する。板４９がハウジング２３に当接した後、板４９はスイッチに接触することができ、または使用者に見えることができ、それによって使用者フィードバックが提供される。
【００８８】
図７Ａ、図７Ｂ、および図７Ｃは、注射デバイス用のさらなる例示的なフィードバック機構２０を示す。図７Ａに示すように、注射デバイスはプランジャ２１を含み、プランジャ２１を動かして薬剤を投薬するように、駆動ばね２２が配置される。図５Ａおよび図５Ｂの例と同様に、ロッキングアーム５５および板５６が配置され、板５６は、駆動ばね２２によって押されて、ロッキングアーム５５によって（内向きの反り４３を介して）把持されており、図７Ｂおよび図７Ｃに示すように、その後プランジャ２１がロッキングアーム５５を越え、次いで回転して板５６を解放する。
【００８９】
この例では、ロッキングアーム５５と注射デバイスのハウジング２３の部材５８との間に遅延要素５７が設けられる。特に、図７Ａに示すように、遅延要素５７は、各ロッキングアーム５５の端部とハウジング２３の隣接部材５８との間に延びる。これらの遅延要素５７は、プランジャ２１がロッキングアーム５５を越えた後、ロッキングアーム５５の回転を遅延させるように作用する。
【００９０】
図７Ｂおよび図７Ｃに示すように、アーム５５が回転した後、板５６は解放され、駆動ばね２２によって遠位にハウジング２３の内側に押し付けられ、板５６とハウジング２３との間の衝突により、使用者に対する可聴および／または触覚フィードバックが生成される。この例では、板５６、および板５６が衝突するハウジング２３が、使用者フィードバックを生成するインジケータをともに形成する。
【００９１】
図７Ｂの例では、駆動ばね２２および板５６がロッキングアーム５５を付勢して回転させると、遅延要素５７は、ロッキングアーム５５によって遅延要素５７に加えられる剪断力によって破断される。すなわち、プランジャ２１がロッキングアーム５５を越えた後、駆動ばね２２の力により、板５６が内向きの反り４３に対して付勢され、ロッキングアーム５５が付勢されてピボット４０の周りで回転する。これにより、遅延要素５７に剪断負荷が加えられる。
【００９２】
遅延要素５７は、遅延後、この剪断負荷を受けて破断するように構成される。遅延要素５７は、ポリエチレン（ＰＥ）、ポリプロピレン（ＰＰ）、ポリテトラフルオロエチレン（ＰＴＦＥ）、ポリエチレンテレフタレート（ＰＥＴ）などのポリマーを含むことができる。別法として、遅延要素５７は、金属、たとえば鋼または銅を含むことができる。遅延要素５７は、剪断負荷によって破断する箔を含むことができる。
【００９３】
図７Ｃの例では、駆動ばね２２および板５６がロッキングアーム５５を付勢して回転させると、遅延要素５７は、ロッキングアーム５５によって遅延要素５７に加えられる剪断力によって変形される。すなわち、プランジャ２１がロッキングアーム５５を越えた後、駆動ばね２２の力により、板５６が内向きの反り４３に対して付勢され、ロッキングアーム５５が付勢されてピボット４０の周りで回転する。これにより、遅延要素５７に剪断負荷が加えられる。遅延要素５７は、板５６が内向きの反り４３を越えるのに十分なだけロッキングアーム５５が回転することを可能にするのに十分に変形するだけでよい。
【００９４】
遅延要素５７は、遅延後、この剪断負荷を受けて変形するように構成される。遅延要素５７は、ポリエチレン（ＰＥ）、ポリプロピレン（ＰＰ）、ポリテトラフルオロエチレン（ＰＴＦＥ）、ポリエチレンテレフタレート（ＰＥＴ）などのポリマーを含むことができる。別法として、遅延要素５７は、金属、たとえば鋼または銅を含むことができる。遅延要素５７は、剪断負荷によって変形する箔を含むことができる。
【００９５】
プランジャ２１がロッキングアーム５５を越えてから板５６が解放されるまでの間に生み出される、遅延要素５７によって提供される遅延により、使用者フィードバックが注射デバイスを使用者から取り外すことができることを示す前に、薬剤が注射部位から分散する時間が可能になる。
【００９６】
図５Ａ〜図５Ｂ、図６Ａ〜図６Ｃ、および図７Ａ〜図７Ｃを参照して説明したものに類似している代替の例では、ロッキングアーム３９、５５を付勢して回転させるために、付勢部材を設けることができる。プランジャ２１は、プランジャ２１がロッキングアーム３９、５５を越え、付勢部材が遅延要素４５、５０、５７に力を加えるまで、ロッキングアーム３９、５５の回転を防止する。付勢部材は、ねじりばねとすることができる。遅延要素４５、５０、５７が変形および／または破断した後、付勢部材により、ロッキングアーム３９、５５が回転してハウジング２３に衝突し、可聴および／または触覚使用者フィードバックが生成される。ロッキングアーム３９、５５に作用するこの付勢部材は、図５Ａ〜図５Ｂ、図６Ａ〜図６Ｃ、および図７Ａ〜図７Ｃを参照して説明した板４４、４９、５６に対する追加または代替として設けることができる。
【００９７】
本明細書に記載する例のそれぞれにおいて、遅延要素３０、４５、５０、５７に力が加えられ、遅延要素３０、４５、５０、５７は、遅延後に破断および／または変形する。遅延要素３０、４５、５０、５７は、予測可能および反復可能な遅延、または最小の遅延を提供するように構成される。遅延の持続時間は、注射デバイスのタイプ、注射される薬剤の特性、および他のそのような要因に基づいて選択することができる。
【００９８】
様々な例では、遅延の持続時間は、２秒を超え、または５秒を超え、または１０秒を超え、または２０秒を超え、または３０秒を超えることができる。他の例では、遅延の持続時間は、５秒〜３０秒とすることができ、または遅延は、５秒〜２０秒とすることができ、または遅延は、５秒〜１５秒とすることができる。さらなる例では、遅延の持続時間は、１分未満、または４５秒未満、または３０秒未満とすることができる。
【００９９】
本明細書で使用する用語「薬物」または「薬剤」は、１つまたはそれ以上の薬学的に活性な化合物を説明するために本明細書において使用される。以下に説明されるように、薬物または薬剤は、１つまたはそれ以上の疾患を処置するための、様々なタイプの製剤の少なくとも１つの低分子もしくは高分子、またはその組み合わせを含むことができる。例示的な薬学的に活性な化合物は、低分子；ポリペプチド、ペプチド、およびタンパク質（たとえばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドを含むことができる。核酸は、ベクター、プラスミド、またはリポソームなどの分子送達システムに組み込むことができる。これらの薬物の１つまたはそれ以上の混合物もまた、企図される。
【０１００】
用語「薬物送達デバイス」は、薬物をヒトまたは動物の体内に投薬するように構成されたあらゆるタイプのデバイスまたはシステムを包含するものである。限定されることなく、薬物送達デバイスは、注射デバイス（たとえばシリンジ、ペン型注射器、自動注射器、大容量デバイス、ポンプ、かん流システム、または眼内、皮下、筋肉内、もしくは血管内送達にあわせて構成された他のデバイス）、皮膚パッチ（たとえば、浸透圧性、化学的、マイクロニードル）、吸入器（たとえば鼻用または肺用）、埋め込み（たとえば、コーティングされたステント、カプセル）、または胃腸管用の供給システムとすることができる。ここに説明される薬物は、針、たとえば小ゲージ針を含む注射デバイスで特に有用であることができる。
【０１０１】
薬物または薬剤は、薬物送達デバイスで使用するように適用された主要パッケージまたは「薬物容器」内に含むことができる。薬物容器は、たとえば、カートリッジ、シリンジ、リザーバ、または１つまたはそれ以上の薬学的に活性な化合物の保存（たとえば短期または長期保存）に適したチャンバを提供するように構成された他の容器とすることができる。たとえば、一部の場合、チャンバは、少なくとも１日（たとえば１日から少なくとも３０日まで）の間薬物を保存するように設計することができる。一部の場合、チャンバは、約１カ月から約２年の間薬物を保存するように設計することができる。保存は、室温（たとえば約２０℃）または冷蔵温度（たとえば約−４℃から約４℃まで）で行うことができる。一部の場合、薬物容器は、薬物製剤の２つまたはそれ以上の成分（たとえば薬物および希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に薬物または薬剤の２つまたはそれ以上の成分間で混合することを可能にするように構成することができる。たとえば、２つのチャンバは、これらが（たとえば２つのチャンバ間の導管によって）互いに流体連通し、所望の場合、投薬の前にユーザによって２つの成分を混合することを可能にするように構成することができる。代替的に、またはこれに加えて、２つのチャンバは、成分がヒトまたは動物の体内に投薬されているときに混合することを可能にするように構成することができる。
【０１０２】
本明細書において説明される薬物送達デバイスおよび薬物は、数多くの異なるタイプの障害の処置および／または予防に使用することができる。例示的な障害は、たとえば、糖尿病、または糖尿病性網膜症などの糖尿病に伴う合併症、深部静脈血栓塞栓症または肺血栓塞栓症などの血栓塞栓症を含む。さらなる例示的な障害は、急性冠症候群（ＡＣＳ）、狭心症、心筋梗塞、がん、黄斑変性症、炎症、枯草熱、アテローム性動脈硬化症および／または関節リウマチである。
【０１０３】
糖尿病または糖尿病に伴う合併症の処置および／または予防のための例示的な薬物は、インスリン、たとえばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容される塩もしくはその溶媒和物、またはそれらの任意の混合物を含む。本明細書において使用される用語「誘導体」は、元の物質と構造的に十分同様のものであり、それによって同様の機能または活性（たとえば治療効果性）を有することができる任意の物質を指す。
【０１０４】
例示的なインスリン類似体は、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンである。
【０１０５】
例示的なインスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。例示的なＧＬＰ−１、ＧＬＰ−１類似体およびＧＬＰ−１受容体アゴニストは、たとえば：リキシセナチド（Ｌｉｘｉｓｅｎａｔｉｄｅ）／ＡＶＥ００１０／ＺＰ１０／リキスミア（Ｌｙｘｕｍｉａ）、エキセナチド（Ｅｘｅｎａｔｉｄｅ）／エクセンディン−４（Ｅｘｅｎｄｉｎ−４）／バイエッタ（Ｂｙｅｔｔａ）／ビデュリオン（Ｂｙｄｕｒｅｏｎ）／ＩＴＣＡ６５０／ＡＣ−２９９３（アメリカドクトカゲの唾液腺によって産生される３９アミノ酸ペプチド）、リラグルチド（Ｌｉｒａｇｌｕｔｉｄｅ）／ビクトザ（Ｖｉｃｔｏｚａ）、セマグルチド（Ｓｅｍａｇｌｕｔｉｄｅ）、タスポグルチド（Ｔａｓｐｏｇｌｕｔｉｄｅ）、シンクリア（Ｓｙｎｃｒｉａ）／アルビグルチド（Ａｌｂｉｇｌｕｔｉｄｅ）、デュラグルチド（Ｄｕｌａｇｌｕｔｉｄｅ）、ｒエクセンディン−４、ＣＪＣ−１１３４−ＰＣ、ＰＢ−１０２３、ＴＴＰ−０５４、ラングレナチド（Ｌａｎｇｌｅｎａｔｉｄｅ）／ＨＭ−１１２６０Ｃ、ＣＭ−３、ＧＬＰ−１エリゲン、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド（Ｅｘｅｎａｔｉｄｅ）−ＸＴＥＮおよびグルカゴン−Ｘｔｅｎである。
【０１０６】
例示的なオリゴヌクレオチドは、たとえば：家族性高コレステロール血症の処置のためのコレステロール低下アンチセンス治療薬である、ミポメルセン（ｍｉｐｏｍｅｒｓｅｎ）／キナムロ（Ｋｙｎａｍｒｏ）である。
【０１０７】
例示的なＤＰＰ４阻害剤は、ビルダグリプチン（Ｖｉｌｄａｇｌｉｐｔｉｎ）、シタグリプチン（Ｓｉｔａｇｌｉｐｔｉｎ）、デナグリプチン（Ｄｅｎａｇｌｉｐｔｉｎ）、サキサグリプチン（Ｓａｘａｇｌｉｐｔｉｎ）、ベルベリン（Ｂｅｒｂｅｒｉｎｅ）である。
【０１０８】
例示的なホルモンは、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストを含む。
【０１０９】
例示的な多糖類は、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩を含む。ポリ硫酸化低分子量ヘパリンの薬学的に許容される塩の例としては、エノキサパリンナトリウムがある。ヒアルロン酸誘導体の例としては、ＨｙｌａｎＧ−Ｆ２０／Ｓｙｎｖｉｓｃ、ヒアルロン酸ナトリウムがある。
【０１１０】
本明細書において使用する用語「抗体」は、免疫グロブリン分子またはその抗原結合部分を指す。免疫グロブリン分子の抗原結合部分の例は、抗原を結合する能力を保持するＦ（ａｂ）およびＦ（ａｂ’）２フラグメントを含む。抗体は、ポリクローナル、モノクローナル、組換え型、キメラ型、非免疫型またはヒト化、完全ヒト型、非ヒト型（たとえばマウス）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。たとえば、抗体は、アイソタイプもしくはサブタイプ、抗体フラグメントまたは変異体とすることができ、Ｆｃ受容体との結合を支持せず、たとえば、これは、突然変異したまたは欠失したＦｃ受容体結合領域を有する。
【０１１１】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（たとえば、抗体重鎖および／または軽鎖ポリペプチド）由来のポリペプチドを指す。抗体フラグメントは、全長抗体ポリペププチドの切断された部分を含むことができるが、この用語はそのような切断されたフラグメントに限定されない。本発明に有用である抗体フラグメントは、たとえば、Ｆａｂフラグメント、Ｆ（ａｂ’）２フラグメント、ｓｃＦｖ（一本鎖Ｆｖ）フラグメント、直鎖抗体、二重特異性、三重特異性、および多重特異性抗体（たとえば、ダイアボディ、トリアボディ、テトラボディ）などの単一特異性または多重特異性抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例は、当技術分野で知られている。
【０１１２】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【０１１３】
例示的な抗体は、アンチＰＣＳＫ−９ｍＡｂ（たとえばアリロクマブ（Ａｌｉｒｏｃｕｍａｂ））、アンチＩＬ−６ｍＡｂ（たとえばサリルマブ（Ｓａｒｉｌｕｍａｂ））、およびアンチＩＬ−４ｍＡｂ（たとえばデュピルマブ（Ｄｕｐｉｌｕｍａｂ））である。
【０１１４】
本明細書において説明される化合物は、（ａ）化合物または薬学的に許容されるその塩、および（ｂ）薬学的に許容される担体を含む医薬製剤において使用することができる。化合物はまた、１つまたはそれ以上の他の医薬品有効成分を含む医薬製剤、または存在する化合物またはその薬学的に許容される塩が唯一の有効成分である医薬製剤において使用することもできる。したがって、本開示の医薬製剤は、本明細書において説明される化合物および薬学的に許容される担体を混合することによって作られる任意の製剤を包含する。
【０１１５】
本明細書において説明される任意の薬物の薬学的に許容される塩もまた、薬物送達デバイスにおける使用に企図される。薬学的に許容される塩は、たとえば酸付加塩および塩基性塩である。酸付加塩は、たとえば、ＨＣｌまたはＨＢｒ塩である。塩基性塩は、たとえば、アルカリもしくはアルカリ土類金属、たとえばＮａ＋、もしくはＫ＋、もしくはＣａ２＋、またはアンモニウムイオンＮ＋（Ｒ１）（Ｒ２）（Ｒ３）（Ｒ４）（式中、Ｒ１からＲ４は互いに独立して：水素、場合により置換されたＣ１〜Ｃ６−アルキル基、場合により置換されたＣ２〜Ｃ６−アルケニル基、場合により置換されたＣ６〜Ｃ１０−アリル基、または場合により置換されたＣ６〜Ｃ１０−ヘテロアリール基を意味する）から選択されるカチオンを有する塩である。薬学的に許容される塩のさらなる例は、当業者に知られている。
【０１１６】
薬学的に許容される溶媒和物は、たとえば、水和物またはメタノラート（ｍｅｔｈａｎｏｌａｔｅ）またはエタノラート（ｅｔｈａｎｏｌａｔｅ）などのアルカノラート（ａｌｋａｎｏｌａｔｅ）である。
【０１１７】
本発明の完全な範囲および精神から逸脱することなく、本明細書に記載する物質、製剤、装置、方法、システム、および実施形態の様々な構成要素に修正（追加および／または削除）を加えることができ、本発明は、そのような修正およびそのあらゆる均等物を包含することが、当業者には理解されよう。
【図１Ａ】
2020501631.tif 000003
【図１Ｂ】
2020501631.tif 000004
【図２Ａ】
2020501631.tif 000005
【図２Ｂ】
2020501631.tif 000006
【図３Ａ】
2020501631.tif 000007
【図３Ｂ】
2020501631.tif 000008
【図３Ｃ】
2020501631.tif 000009
【図４Ａ】
2020501631.tif 000010
【図４Ｂ】
2020501631.tif 000011
【図５Ａ】
2020501631.tif 000012
【図５Ｂ】
2020501631.tif 000013
【図６Ａ】
2020501631.tif 000014
【図６Ｂ】
2020501631.tif 000015
【図６Ｃ】
2020501631.tif 000016
【図７Ａ】
2020501631.tif 000017
【図７Ｂ】
2020501631.tif 000018
【図７Ｃ】
2020501631.tif 000019
【国際調査報告】
2020501631.tif 000020
2020501631.tif 000021
2020501631.tif 000022
2020501631.tif 000023
2020501631.tif 000024